(57)【要約】【課題】ガスボンベ側のガス流出口部と開閉機構側のガス流入口部との間の密封性を高めてガスボンベ内の炭酸ガスの圧力を維持し易くする。【解決手段】ガスボンベ８から開閉機構５を通ってノズルの噴出孔から噴出する炭酸ガスで生じる負圧により液体容器１０から吸引された化粧水が炭酸ガスと合流して噴霧口部６から噴霧される。ガスボンベ８を保持ケース１６に支えたまま保持ケース１６を支持筒部１５に対しガスボンベ８の接続方向Ｘへ雌ねじ部及び雄ねじ部により移動調節することができる。そのため、ガスボンベ８側のガス流出口部２４と開閉機構５側のガス流入口部１３との間のシール部材を適切な力で圧接し易いとともに、支持筒部１５の雄ねじ部と保持ケース１６の雌ねじ部との間の位置決め機能によりシール部材の圧接を規制し、シール部材の損傷を防止する。【選択図】図１
2013233958.tif 000002
【特許請求の範囲】
【請求項１】
気体が噴出されるノズルと、そのノズルに供給される気体の流路を開閉する開閉機構と、そのノズルの噴出孔に連通する噴霧口部と、この開閉機構に接続される気体容器を保持する気体容器取付部と、この噴霧口部に接続される液体容器を保持する液体容器取付部とを備え、気体容器から開閉機構を通ってノズルの噴出孔から噴出する気体で生じる負圧により液体容器から吸引された液体が気体と合流して噴霧口部から噴霧される噴霧装置において、
前記気体容器には前記開閉機構側に設けた気体流入口部と接続される気体流出口部を設け、この気体容器側の気体流出口部とこの開閉機構側の気体流入口部とにおいて気体容器の接続方向における相対向部でシール部材を介在させて圧接し、
前記気体容器取付部においては、気体容器を支える保持部を気体容器の接続方向へ移動調節可能に支持する案内部を設けたことを特徴とする噴霧装置における気体容器の取付構造。
【請求項２】
前記保持部は案内部に対し着脱可能に支持されていることを特徴とする請求項１に記載の噴霧装置における気体容器の取付構造。
【請求項３】
前記気体容器取付部における案内部と保持部とは雌雄ねじ部で互いに螺合されて気体容器の接続方向へ相対移動し得ることを特徴とする請求項１または請求項２に記載の噴霧装置における気体容器の取付構造。
【請求項４】
前記気体容器側の気体流出口部は気体容器内と連通する開口を囲う周壁部を有し、その周壁部内の開口には、気体容器の気体流出口部を開閉機構側の気体流入口部に接続した際に、その気体流入口部に設けたニードル部材により開封されてその気体流出口部と気体流入口部とを互いに連通する封板を設けたことを特徴とする請求項１〜３のうちいずれか一つの請求項に記載の噴霧装置における気体容器の取付構造。
【請求項５】
前記シール部材は、気体容器の接続方向における周壁部の端面に当てがわれる台部と、その接続方向周りにおける周壁部の外周面に当てがわれる筒部とを有していることを特徴とする請求項４に記載の噴霧装置における気体容器の取付構造。
【請求項６】
前記気体容器には気体としての炭酸ガスが収容され、前記液体容器には液体としての化粧水が収容されていることを特徴とする請求項１〜５のうちいずれか一つの請求項に記載の噴霧装置における気体容器の取付構造。
【発明の詳細な説明】
【技術分野】
【０００１】
本発明は、化粧水などの液体を炭酸ガスなどの気体の噴流に乗せて噴霧できるようにした噴霧装置において、気体容器の取付構造の改良に関するものである。
【背景技術】
【０００２】
従来、このような噴霧装置においては、気体容器としてのガスボンベから開閉機構を通ってノズルの噴出孔から噴出する炭酸ガスで生じる負圧により液体容器から吸引された化粧水が炭酸ガスと合流して噴霧口部から噴霧されるようになっている（例えば下記の特許文献１を参照）。このガスボンベ側に設けられたガス流出口部とこの開閉機構側に設けられたガス流入口部との間には、シール部材としてのＯリングが介在されてそれらの間で圧接されている。このガスボンベ側のガス流出口部はこの開閉機構側のガス流入口部に対し雌雄ねじ部により螺合されて支持されている。
【先行技術文献】
【特許文献】
【０００３】
【特許文献１】特開２０１０−５１７７４号公報
【発明の概要】
【発明が解決しようとする課題】
【０００４】
ガスボンベ側のガス流出口部に設けられた雄ねじ部が、開閉機構側のガス流入口部に設けられた雌ねじ部に対し螺合されて、それらの間でＯリングが圧接されているので、保持ケースに収容されたガスボンベを回動させなければならず、Ｏリングを圧接する作業が行いにくくなるばかりではなく、その圧接が不適切であると、ガス体流出口部とガス流入口部との間の密封性が不十分となったり、Ｏリングを損傷したりするおそれがあり、ガスボンベ内の気体の圧力を維持することが難しくなる。また、ガスボンベが回動に伴い雌雄ねじ部に沿って移動すると、ガスボンベを支える保持ケースからガスボンベが離れるおそれがあり、ガスボンベに対する保持ケースとしての機能を果たすことができなくなるおそれもある。
【０００５】
この発明は、気体容器の移動調節手段を改良して、気体容器側の気体流出口部と開閉機構側の気体流入口部との間の密封性を高めて気体容器内の気体の圧力を維持し易くすることを目的としている。
【課題を解決するための手段】
【０００６】
後記実施形態の図面（図１〜２）の符号を援用して本発明を説明する。
請求項１の発明にかかる噴霧装置は、気体が噴出されるノズル（４）と、そのノズル（４）に供給される気体の流路を開閉する開閉機構（５）と、そのノズル（４）の噴出孔（４ａ）に連通する噴霧口部（６）と、この開閉機構（５）に接続される気体容器（８）を保持する気体容器取付部（７）と、この噴霧口部（６）に接続される液体容器（１０）を保持する液体容器取付部（９）とを備え、気体容器（８）から開閉機構（５）を通ってノズル（４）の噴出孔（４ａ）から噴出する気体で生じる負圧により液体容器（１０）から吸引された液体が気体と合流して噴霧口部（６）から噴霧されるようになっている。この噴霧装置の気体容器取付構造において、前記気体容器（８）には前記開閉機構（５）側に設けた気体流入口部（１３）と接続される気体流出口部（２４）を設け、この気体容器（８）側の気体流出口部（２４）とこの開閉機構（５）側の気体流入口部（１３）とにおいて気体容器（８）の接続方向（Ｘ）における相対向部でシール部材（２５）を介在させて圧接している。また、この気体容器取付構造の気体容器取付部（７）においては、気体容器（８）を支える保持部（１６）を気体容器（８）の接続方向（Ｘ）へ移動調節可能に支持する案内部（１５）を設けている。
【０００７】
請求項１の発明では、気体容器（８）を支える保持部（１６）を案内部（１５）に対し気体容器（８）の接続方向（Ｘ）へ移動調節することができるので、気体流出口部（２４）と気体流入口部（１３）との間のシール部材（２５）を適切な力で圧接し易いとともに、案内部（１５）と保持部（１６）との間の移動調節によりシール部材（２５）の圧接を規制してシール部材（２５）の損傷を防止し、気体流出口部（２４）と気体流入口部（１３）との間の密封性を高めて気体容器（８）内の気体の圧力を維持し易くすることができる。また、気体容器（８）を保持部（１６）に支えたまま保持部（１６）を移動調節することができるので、保持部（１６）の移動位置に関係なく気体容器（８）を保持部（１６）に支えた状態を維持して気体容器（８）に対する保持部（１６）としての機能を果たすことができる。
【０００８】
請求項１の発明を前提とする請求項２の発明において、前記保持部（１６）は案内部（１５）に対し例えば雌雄ねじ部（１９，２０）で着脱可能に支持されている。請求項２の発明では、保持部（１６）を案内部（１５）に対し着脱して気体容器（８）の交換を容易に行うことができる。
【０００９】
請求項１または請求項２の発明を前提とする請求項３の発明において、前記気体容器取付部（７）における案内部（１５）と保持部（１６）とは雌雄ねじ部（１９，２０）で互いに螺合されて気体容器（８）の接続方向（Ｘ）へ相対移動し得る。請求項３の発明では、案内部（１５）に対する保持部（１６）の移動調節を簡単な構造で容易に行うことができる。
【００１０】
請求項１〜３のうちいずれか一つの請求項の発明を請求項４の発明において、前記気体容器（８）側の気体流出口部（２４）は気体容器（８）内と連通する開口（２７）を囲う周壁部（２６）を有し、その周壁部（２６）内の開口（２７）には、気体容器（８）の気体流出口部（２４）を開閉機構（５）側の気体流入口部（１３）に接続した際に、その気体流入口部（１３）に設けたニードル部材（１４）により開封されてその気体流出口部（２４）と気体流入口部（１３）とを互いに連通する封板（２８）を設けている。請求項４の発明では、気体流出口部（２４）と気体流入口部（１３）との接続時に、それらの間の密封性を高めて気体容器（８）内の気体の圧力を維持することができる。
【００１１】
請求項４の発明を前提とする請求項５の発明において、前記シール部材（２５）は、気体容器（８）の接続方向（Ｘ）における周壁部（２６）の端面（２６ａ）に当てがわれる台部（２５ａ）と、その接続方向（Ｘ）の周りにおける周壁部（２６）の外周面（２６ｂ）に当てがわれる筒部（２５ｂ）とを有している。請求項５の発明では、台部（２５ａ）と筒部（２５ｂ）とを有するシール部材（２５）により、気体流出口部（２４）と気体流入口部（１３）との間の密封性を高めて気体容器（８）内の気体の圧力を維持することができる。
【００１２】
請求項１〜５のうちいずれか一つの請求項の発明を前提とする請求項６の発明において、前記気体容器（８）には気体としての炭酸ガスが収容され、前記液体容器（１０）には液体としての化粧水が収容されている。請求項６の発明では、噴出された炭酸ガスで生じる負圧により吸引された化粧水が炭酸ガスと合流して噴霧される噴霧装置を提供することができる。
【００１３】
請求項１〜６のうちいずれか一つの請求項の発明を前提とする第７の発明において、前記ノズル（４）と開閉機構（５）と噴霧口部（６）と気体容器取付部（７）と液体容器取付部（９）とは、ケース（２，３）内に収容されてまとめられている。第７の発明では、コンパクトで携帯に便利な噴霧装置を提供することができる。
【発明の効果】
【００１４】
本発明は、気体容器（８）を支える保持部（１６）を案内部（１５）に対し気体容器（８）の接続方向（Ｘ）へ移動調節することができるので、気体容器としてのガスボンベを回動させてシール部材としてのＯリングを圧接する従来技術と異なり、気体流出口部（２４）と気体流入口部（１３）との間の密封性を高めて気体容器（８）内の気体の圧力を維持し易い。
【図面の簡単な説明】
【００１５】
【図１】（ａ）は噴霧装置を示す斜視図であり、（ｂ）は同じく断面図である。
【図２】（ａ）（ｂ）はそれぞれ図１（ｂ）の部分拡大断面図である。
【発明を実施するための形態】
【００１６】
以下、本発明の一実施形態にかかる噴霧装置の気体容器取付構造について図面を参照して説明する。
図１（ａ）に示すように、ハウジング１は、有底筒状の下部ケース２の上端開口に有底有蓋筒状の上部ケース３を着脱可能にして構成されている。図１（ｂ）及び図２（ａ）に示すように、上部ケース３内には、炭酸ガス（気体）が噴出されるノズル４と、そのノズル４に供給される炭酸ガスの流路を開閉する開閉機構５と、そのノズル４の噴出孔４ａに連通する噴霧口部６とが収容されてまとめられている。下部ケース２内には、この開閉機構５に接続されるガスボンベ８（気体容器）を保持するガスボンベ取付部７（気体容器取付部）と、この噴霧口部６に接続される液体容器１０を保持する液体容器取付部９とが収容されてまとめられている。
【００１７】
開閉機構５において上部ケース３の底部１１にはレギュレーター１２が貫通状態で固定されている。レギュレーター１２には上部ケース３の底部１１から下部ケース２内に突出するガス流入口部１３（気体流入口部）が形成されている。図２（ｂ）に示すように、レギュレーター１２のガス流入口部１３の中心孔１３ａには尖鋭管状のニードル部材１４が保持されている。
【００１８】
ガスボンベ取付部７において、上部ケース３の底部１１にはレギュレーター１２の外周で支持筒部１５（案内部）が下方へ向かって突設されている。支持筒部１５の外周には雄ねじ部１９が形成されている。その支持筒部１５の外周に支持される保持ケース１６（保持部）は、支持筒部１５の雄ねじ部１９に対し雌ねじ部２０で着脱可能に螺合され、炭酸ガスを収容するガスボンベ８を底部１６ａで受けて収納することができ、その雌ねじ部２０と雄ねじ部１９とによりガスボンベ８の接続方向Ｘ（上下方向）へ移動し得る。
【００１９】
前記ガスボンベ８の上蓋２３には前記レギュレーター１２のガス流入口部１３と接続されるガス流出口部２４が形成され、このガスボンベ８側のガス流出口部２４とこのレギュレーター１２側のガス流入口部１３との間には、シール部材２５を介在させてガスボンベ８の接続方向Ｘにおける相対向部間で圧接している。ガスボンベ８側のガス流出口部２４はガスボンベ８内と連通する開口２７を囲う周壁部２６を有している。その周壁部２６内の開口２７には、ガスボンベ８のガス流出口部２４をレギュレーター１２側のガス流入口部１３に接続した際に、そのガス流入口部１３のニードル部材１４により刺通される封板２８が設けられている。そのため、ガス流出口部２４とガス流入口部１３とが互いに連通してガスボンベ８内に封入された高圧の炭酸ガスがニードル部材１４内に流入する。シール部材２５は、ガスボンベ８の接続方向Ｘにおける周壁部２６の端面２６ａに当てがわれる台部２５ａと、その接続方向Ｘ周りにおける周壁部２６の外周面２６ｂに当てがわれる筒部２５ｂとを有している。
【００２０】
前記液体容器取付部９においては、化粧水が収容された前記液体容器１０がガスボンベ取付部７における保持ケース１６と並設状態で近接して着脱可能に設置されている。この液体容器１０の上端部には、化粧水を吸い上げるためのチューブ３１が接続されている。なお、液体容器１０の上端部には、化粧水の吸い上げによって液体容器１０の内部が負圧にならないように、小孔（図示しない）が透設されている。
【００２１】
前記開閉機構５において、レギュレーター１２の上部には開閉弁（図示しない）を収納する弁ケース３２が接続されている。弁ケース３２には接続管３３が突設されている。接続管３３は弁ケース３２及びレギュレーター１２内の流路（図示しない）を介してニードル部材１４の内部通路と連通されている。
【００２２】
前記噴霧口部６は上部ケース３に対し外側に向かって開口するように固定されている。前記ノズル４は噴霧口部６の基端部に嵌入されている。そのノズル４の基端部には前記接続管３３が接続されている。噴霧口部６の周壁下部には供給口３４が貫通固定されている。その噴霧口部６の基端部には液体容器取付部９におけるチューブ３１が接続されている。ノズル４の噴出孔４ａの先端開口は供給口３４の先端開口と近接配置されている。ノズル４から高圧の炭酸ガスが噴出されると、供給口３４の先端開口付近が負圧になって、液体容器１０内の化粧水が吸い上げられるため、化粧水がミストとなって炭酸ガスの噴流とともに噴霧口部６の開口から噴出される。
【００２３】
上部ケース３の上端部には操作ノブ３５が設けられている。操作ノブ３５が押し下げ操作されることにより、開閉機構５において弁ケース３２内の開閉弁（図示しない）が開放される。このため、開閉弁の一次側に接続されたガスボンベ８内の炭酸ガスが流路（図示しない）及び接続管３３を介してノズル４に供給される。なお、操作ノブ３５の操作方向は保持ケース１６におけるガスボンベ８の接続方向Ｘと一致している。
【００２４】
次に、噴霧装置の作用を説明する。
下部ケース２を上部ケース３から取り外して露出する保持ケース１６でガスボンベ８を支えながらその保持ケース１６を支持筒部１５に対し雌ねじ部２０及び雄ねじ部１９により回動させてガスボンベ８の接続方向Ｘへ移動調節すると、シール部材２５の圧接を規制して、ガスボンベ８側のガス流出口部２４と開閉機構５側のガス流入口部１３との間のシール部材２５を適切な力で圧接することができる。その際、保持ケース１６の雌ねじ部２０を支持筒部１５の雄ねじ部１９に対し螺合し得る範囲で締め付けると、支持筒部１５に対する保持ケース１６の回動が停止する。
【００２５】
使用に際しては、ハウジング１を片手で持ちながら人差し指等で操作ノブ３５を押し下げれば、開閉機構５で弁ケース３２内の開閉弁（図示しない）が開放され、ガスボンベ８から開閉弁を通ってノズル４の噴出孔４ａから噴出する炭酸ガスで生じる負圧により液体容器１０から吸引された化粧水が炭酸ガスと合流し、化粧水のミストが噴霧口部６から炭酸ガスの噴流に乗って噴出される。従って、この化粧水のミストと炭酸ガスとを肌に当てることができる。
【００２６】
本実施形態は下記の効果を有する。
（１）  ガスボンベ８を支える保持ケース１６を支持筒部１５に対しガスボンベ８の接続方向Ｘへ雌ねじ部２０及び雄ねじ部１９により移動調節することができる。そのため、ガスボンベ８側のガス流出口部２４と開閉機構５側のガス流入口部１３との間のシール部材２５を適切な力で圧接し易いとともに、支持筒部１５の雄ねじ部１９と保持ケース１６の雌ねじ部２０との間の位置決め機能によりシール部材２５の圧接を規制し、シール部材２５の損傷を防止することができる。従って、ガスボンベを回動させてシール部材としてのＯリングを圧接する従来技術と異なり、ガス流出口部２４とガス流入口部１３との間の密封性を高めてガスボンベ８内の気体の圧力を維持し易くすることができる。
【００２７】
（２）  ガスボンベ８を保持ケース１６に支えたまま保持ケース１６を移動調節することができるので、保持ケース１６の移動位置に関係なくガスボンベ８を保持ケース１６に支えた状態を維持してガスボンベ８に対する保持ケース１６としての機能を果たすことができる。
【００２８】
（３）  下部ケース２を上部ケース３から取り外すとともに、保持ケース１６を支持筒部１５に対しそれらの雄ねじ部１９及び雌ねじ部２０で着脱すると、ガスボンベ８が露出してガスボンベ８の交換を容易に行うことができる。
【００２９】
（４）  台部２５ａと筒部２５ｂとを有するシール部材２５と、ニードル部材１４により開封される封板２８とにより、ガスボンベ８側のガス流出口部２４と開閉機構５側のガス流入口部１３との接続時に、それらの間の密封性を高めてガスボンベ８内の気体の圧力を維持することができる。
【００３０】
前記実施形態以外にも例えば下記のように構成してもよい。
・  図示しないが、前記実施形態において、保持ケース１６を上側の案内筒と下側の保持筒とに分け、その案内筒（案内部）を支持筒部１５（固定部）に対し着脱可能に支持しするとともに、その案内筒と保持筒（保持部）とを雌雄ねじ部で互いに螺合して気体容器の接続方向へ相対移動し得るようにしてもよい。
【００３１】
・  図示しないが、前記実施形態において、ガスボンベ８の上蓋２３のガス流出口部２４側またはレギュレーター１２のガス流入口部１３側でシール部材２５をキャップ(図示せず)により被せて取り付け、ガス流出口部２４とガス流入口部１３とにおいてガスボンベ８の接続方向Ｘにおける相対向部でシール部材２５を介在させて圧接するようにしてもよい。
【００３２】
・  前記実施形態のように静止箇所の漏れ止めを行うガスケットとしては、前記実施形態で例示した板状のシール部材２５以外に、Ｏリングなどを採用してもよい。また、板状のシール部材２５としては、筒部２５ｂを省略して台部２５ａのみで構成してもよい。
【００３３】
・  気体としては、前記実施形態で例示した炭酸ガス以外に、酸素ガスなどを採用してもよい。
・  液体としては、前記実施形態で例示した化粧水以外に、洗顔液などを採用してもよい。
【符号の説明】
【００３４】
４…ノズル、４ａ…噴出孔、５…開閉機構、６…噴霧口部、７…ガスボンベ取付部（気体容器取付部）、８…ガスボンベ（気体容器）、９…液体容器取付部、１０…液体容器、１３…気体流入口部、１４…ニードル部材、１５…支持筒部（案内部）、１６…保持ケース（保持部）、１９…雄ねじ部、２０…雌ねじ部、２４…気体流出口部、２５…シール部材、２５ａ…台部、２５ｂ…筒部、２６…周壁部、２６ａ…端面、２６ｂ…外周面、２７…開口、２８…封板、Ｘ…ガスボンベの接続方向。
【図１】
2013233958.tif 000003
【図２】
2013233958.tif 000004